(57)【要約】【課題】部品点数が増加することなく、低コストでハンドルを掃除機本体の前部にしっかりと固定できる掃除機を提供すること。【解決手段】フロントカバー１３とハンドル１５を一体成形品とし、別部品であるハンドルカバー１６の両側に備えた保持リブ１７をフロントカバー１３の両側に備えた開口部１８に嵌め込み、掃除機本体１の突出リブ１９が、前記保持リブ１７に有したリブ穴２０に貫通させることで、ハンドルカバー１６の抜け止めを構成したことにより、部品点数が増加することなく、低コストで組立性にも優れ、ハンドルを掃除機本体の前部にしっかりと固定できる電気掃除機を提供できる。【選択図】図４
2015142623.tif 000002
【特許請求の範囲】
【請求項１】
掃除機本体の前部に設けられ、ハンドルと一体成形されたフロントカバーと、
前記ハンドルの外周部を覆うハンドルカバーと、
前記ハンドルカバーの両端部に内向きに延設され、リブ穴を有した保持リブと、
前記掃除機本体の前部に設けられ、前記保持リブのリブ穴に挿入されるように配置された突出リブと、
前記フロントカバーに設けられ、前記保持リブが挿入される開口部と、を備え、
前記ハンドルカバーの両側の保持リブを前記フロントカバーの両側の開口部に嵌め込み、前記掃除機本体の突出リブが、前記保持リブのリブ穴に貫通することで、
前記ハンドルカバーの抜け止めを構成したことを特徴とする電気掃除機。
【請求項２】
前記ハンドルの握り部が斜め上方に湾曲した形状に構成したことを特徴とする請求項１に記載の電気掃除機。
【請求項３】
前記フロントカバーは、上からのネジの締結により、前記掃除機本体における掃除機本体下ケースの前面部に取り付け保持されることを特徴とする請求項１または２に記載の電気掃除機。
【発明の詳細な説明】
【技術分野】
【０００１】
本願発明は電気掃除機に係わり、特に掃除機本体の前部にハンドルを備えた電気掃除機に関するものである。
【背景技術】
【０００２】
一般的な掃除機は、通常、掃除機本体の上面側にハンドルが備えられているが、掃除機本体は、使用しないときに背面側を下にして立てた状態に置かれるので、上面側のハンドルでは立てたとき持ちにくい。ハンドルが掃除機本体の前部にあれば、通常と立てた状態のいずれの状態でも容易に持つことができて便利であるが、掃除機本体前部にハンドルを固定する場合、ハンドル以外に抜け止め部品やネジが必要であった（例えば、特許文献１参照）。
【先行技術文献】
【特許文献】
【０００３】
【特許文献１】実開昭６３−６４３５７号公報
【発明の概要】
【発明が解決しようとする課題】
【０００４】
前述したように掃除機本体の前部にハンドルを固定する場合には、ハンドル以外に抜け止め部品やネジが必要であったため、部品点数が増え、コスト高となるという課題があった。また、特許文献１に開示されたものでは、長く使用する間に摺動部にガタつきが生じたり、塵埃が侵入して、摺動がうまくできなかったり、持ち運ぶときにハンドルをしっかりとした状態に固定できなくなるという課題があった。
【０００５】
そこで、本発明はこのような課題を解決するためになされたもので、部品点数が増加することなく、低コストで組立性にも優れ、ハンドルを掃除機本体の前部にしっかりと固定することができる電気掃除機を提供することを目的とする。
【課題を解決するための手段】
【０００６】
前記従来の課題を解決するために本願発明は、掃除機本体の前部に設けられ、ハンドルと一体成形されたフロントカバーと、前記ハンドルの外周部を覆うハンドルカバーと、前記ハンドルカバーの両端部に内向きに延設され、リブ穴を有した保持リブと、前記掃除機本体の前部に設けられ、前記保持リブのリブ穴に挿入されるように配置された突出リブと、前記フロントカバーに設けられ、前記保持リブが挿入される開口部と、を備え、前記ハンドルカバーの両側の保持リブを前記フロントカバーの両側の開口部に嵌め込み、前記掃除機本体の突出リブが、前記保持リブのリブ穴に貫通することで、前記ハンドルカバーの抜け止めを構成したことを特徴とするものである。
【０００７】
これによって、部品点数が増加することなく、低コストでハンドルを掃除機本体の前部にしっかりと固定できる電気掃除機を提供することができる。
【発明の効果】
【０００８】
以上のように本願発明によれば、ハンドルとフロントカバーを一体成形品とし、別部品のハンドルカバーを本願発明のように固定すれば、部品点数が増加することなく、低コストでハンドルを掃除機本体の前部にしっかりと固定できる電気掃除機を提供することができる。
【図面の簡単な説明】
【０００９】
【図１】本発明の実施の形態１における電気掃除機の掃除機本体の全体斜視図
【図２】同電気掃除機の掃除機本体の中央断面図
【図３】（ａ）同電気掃除機のハンドルカバー、フロントカバーの部分側面図、（ｂ）図３（ａ）のＡ−Ａ断面図、（ｃ）同電気掃除機のハンドルカバー取付け構成を示す図３（ｂ）のＢ部拡大図
【図４】同電気掃除機のハンドルカバー、フロントカバーを掃除機本体から外した状態の斜視図
【図５】同電気掃除機のハンドルカバーが付いたフロントカバーを本体から外した状態の斜視図
【図６】同電気掃除機のハンドルカバーが付いたフロントカバーを内側から見た斜視図
【図７】同電気掃除機のハンドルカバー、フロントカバーを掃除機本体下ケースに取り付けビス固定される状態を示した斜視図
【発明を実施するための形態】
【００１０】
第１の発明は、掃除機本体の前部に設けられ、ハンドルと一体成形されたフロントカバーと、前記ハンドルの外周部を覆うハンドルカバーと、前記ハンドルカバーの両端部に内向きに延設され、リブ穴を有した保持リブと、前記掃除機本体の前部に設けられ、前記保持リブのリブ穴に挿入されるように配置された突出リブと、前記フロントカバーに設けられ、前記保持リブが挿入される開口部と、を備え、前記ハンドルカバーの両側の保持リブを前記フロントカバーの両側の開口部に嵌め込み、前記掃除機本体の突出リブが、前記保持リブのリブ穴に貫通することで、前記ハンドルカバーの抜け止めを構成したことを特徴とするものである。
これによって、部品点数が増加することなく、低コストでハンドルを掃除機本体の前部にしっかりと固定できる電気掃除機を提供することができる。
【００１１】
第２の発明は、特に第１の発明において、前記ハンドルの握り部が斜め上方に湾曲した形状に構成したことを特徴とするものである。
これによって、掃除機本体を横にした通常の状態と立てた状態のいずれの場合でも、手を不自然な状態にすることなく、ホースと干渉したりすることもなくなるので、ハンドルの握り部が持ち易くすることができる。
【００１２】
第３の発明は、特に第１、第２の発明において、前記フロントカバーは、上からのネジの締結により、前記掃除機本体における掃除機本体下ケースの前面部に取り付け保持されることを特徴とするものである。
これによって、ハンドルカバーが取り付けられたフロントカバーを掃除機本体下ケースの前面部に形成された取り付け位置に嵌め込み、上からのネジの締結により保持固定することにより、自動機による組立を可能にできる。
【００１３】
以下、本発明の実施の形態について、図面を参照しながら説明する。なお、この実施の形態によって本発明が限定されるものではない。
【００１４】
（実施の形態１）
以下、本願発明の実施形態を図１〜図７を参照しながら説明する。
【００１５】
本実施形態の掃除機本体１は、掃除機本体下ケース２と掃除機本体上ケース３および集塵蓋４とから成り、掃除機本体１内に、図２に示すように、前側から、ダストボックス５が内蔵される集塵室６、電動送風機７を内蔵する電動送風機室８を備えている。集塵室６は、後側に回動支点が設けられた集塵蓋４により開閉自在となる。
【００１６】
また、集塵室６の下方に位置する底面側にはキャスター式の前車輪９が備えられ、電動送風機室８の両側面側には、大径の後車輪１０が備えられている。
【００１７】
一方、掃除機本体下ケース２の前面部２ａには、集塵室６の吸引口１１に連通して図示しないホースが接続される差込口１２を有するフロントカバー１３が取り付けられており、このフロントカバー１３の上部に、握り部１４を有し斜め上方に湾曲形状に形成したハンドル１５が、フロントカバー１３と一体成形で取り付けられている。
【００１８】
上記ホースの差込口１２が形成されたフロントカバー１３には、図３、図４に示すように、ハンドル１５が一体成形品として形成され、別部品であるハンドルカバー１６の両側の保持リブ１７を前記フロントカバー１３に開けた両側の開口部１８に嵌め込み、嵌め込んだ保持リブ１７が抜けないように、掃除機本体下ケース２から出した突出リブ１９でハンドルカバー１６の保持リブ１７のリブ穴２０に貫通させて抜け止めとしてハンドル部全体を構成している。
【００１９】
以上の構成において、掃除機本体１の組み立て時に上記ハンドルカバー１６を取り付けるときには、まず、上述したように、ハンドルカバー１６の保持リブ１７間を広げてフロントカバー１３の両側の開口部１８に嵌め込むことにより、図３〜図５に示すようにハンドルカバー１６をフロントカバー１３に取り付ける。
【００２０】
そして、ハンドルカバー１６が取り付けられたフロントカバー１３を図５、図７に示すように、掃除機本体１の掃除機本体下ケース２の前面部２ａに形成された取り付け位置に嵌め込み、ネジ２１により固定する。
【００２１】
これにより、ハンドルカバー１６は、ハンドルカバー１６の両側の保持リブ１７を前記フロントカバー１３に開けた両側の開口部１８に嵌め込み、嵌め込んだ保持リブ１７が抜けないように、掃除機本体下ケース２から出した突出リブ１９でハンドルカバー１６の保持リブ１７のリブ穴２０に貫通させて抜け止めとしているので、前後方向及び上下左右方向をしっかりと固定することができる。
【００２２】
従って、部品点数が増加することなく、低コストで、ハンドル１５とハンドルカバー１６を掃除機本体１の前部にしっかりと固定することができる。
【００２３】
また、ハンドルカバー１６の両側の保持リブ１７を前記フロントカバー１３に開けた両側の開口部１８に嵌め込み、嵌め込んだ保持リブ１７が抜けないように、掃除機本体下ケース２から出した突出リブ１９でハンドルカバー１６の保持リブ１７のリブ穴２０に貫通させて抜け止めとしているので、長く使用してもガタつき等が生じることもなく、しっかりと固定できる。
【００２４】
また、図６に示すように、フロントカバー１３に一体成形されたハンドル１５の握り部１４が斜め上方に湾曲した形状に形成されているので、掃除機本体１を横にした通常の状態と立てた状態のいずれの場合でも、手を不自然な状態にすることなく、ホースと干渉したりすることもなくなるので、ハンドルの握り部１４が持ちやすくなる。
【００２５】
また、ハンドルカバー１６が取り付けられたフロントカバー１３を図７に示すように、掃除機本体１の掃除機本体下ケース２の前面部２ａに形成された取り付け位置に嵌め込み、上からのネジ２１の締結としたことにより、自動機による組立を可能にできるものである。
【産業上の利用可能性】
【００２６】
以上のように、本発明の電気掃除機は、掃除機本体ケースの前部にフロントカバーを備え、そのフロントカバーとハンドルを一体成形品とし、別部品であるハンドルカバーの両側の保持リブをフロントカバーに開けた両側の開口部に嵌め込み、嵌め込んだ保持リブが抜けないように、掃除機本体ケースから出した突出リブでハンドルカバーの保持リブのリブ穴に貫通させてハンドルカバーの抜け止めとしてハンドルを固定しているので、部品点数が増加することなく、低コストでハンドルを掃除機本体の前部にしっかりと固定することができるため、家庭用電気掃除機及び業務用電気掃除機の分野・用途に適用することができる。
【符号の説明】
【００２７】
１  掃除機本体
２  掃除機本体下ケース
３  掃除機本体上ケース
４  集塵蓋
５  ダストボックス
６  集塵室
７  電動送風機
８  電動送風機室
９  前車輪
１０  後車輪
１１  吸引口
１２  差込口
１３  フロントカバー
１４  握り部
１５  ハンドル
１６  ハンドルカバー
１７  保持リブ
１８  開口部
１９  突出リブ
２０  リブ穴
２１  ネジ
【図１】
2015142623.tif 000003
【図２】
2015142623.tif 000004
【図３】
2015142623.tif 000005
【図４】
2015142623.tif 000006
【図５】
2015142623.tif 000007
【図６】
2015142623.tif 000008
【図７】
2015142623.tif 000009